(57)【要約】【課題】磁気ディスク装置において、内部部品を外側から覆う部材の組み込み作業性を改善する。【解決手段】本発明の磁気ディスク装置１は、トップカバー１２の外縁の段差部１９、２０に嵌め込まれる一対の爪部１７、１８を持つボトムカバー１５が枠状に形成されている。したがって、ボトムカバー１５全体を容易に撓ませつつ爪部１７、１８を嵌め込むことができ、ボトムカバー１５を取り付ける際の作業性を改善することができる。【選択図】図３
2008310938.tif 000002
【特許請求の範囲】
【請求項１】
記憶媒体と、
前記記憶媒体を一方から覆う第１のカバー部材と、
前記記憶媒体を他方から覆うようにこの記憶媒体を挟んで前記第１のカバー部材と対向する位置に配置された枠状に形成されている第２のカバー部材と、
前記第２のカバー部材に設けられ、前記第１のカバー部材をその外縁部側から挟み込むようにして嵌め込まれた少なくとも一対の爪部と、
を具備することを特徴とする記憶装置。
【請求項２】
前記第１のカバー部材上の外縁部には、互いに対向しつつほぼ平行に延びる少なくとも一組の辺部とこれらの辺部に各々沿って設けられた一組の段差部とが形成されており、
前記一対の爪部は、前記一組の段差部に沿って各々嵌め込まれていることを特徴とする請求項１記載の記憶装置。
【請求項３】
前記枠状に形成された第２のカバー部材は、その内側に架け渡された梁部を備えることを特徴とする請求項１又は２記載の記憶装置。
【請求項４】
前記第２のカバー部材は、前記段差部の形成された前記辺部に沿った方向に延びる一組の第１の枠本体部と、前記段差部の形成された前記辺部と交差する方向に延びる一組の第２の枠本体部と、を備えた矩形状の外枠を備え、
さらに、前記梁部は、前記第２の枠本体部どうしの間に架け渡されていることを特徴とする請求項３記載の記憶装置。
【請求項５】
前記梁部は、前記第２の枠本体部どうしの間に複数架け渡されていることを特徴とする請求項４記載の記憶装置。
【請求項６】
前記第２のカバー部材は、前記段差部の形成された前記辺部に沿った方向に延びる一組の第１の枠本体部と、前記段差部の形成された前記辺部と交差する方向に延びる一組の第２の枠本体部と、を備えた矩形状の外枠を備え、
さらに、前記梁部は、前記第１の枠本体部と前記第２の枠本体部との間に架け渡されていることを特徴とする請求項３記載の記憶装置。
【請求項７】
前記梁部は、前記矩形状の外枠の角部を介して互いに隣接する四組全ての第１の枠本体部と第２の枠本体部との間に架け渡されていることを特徴とする請求項６記載の記憶装置。
【請求項８】
前記第２のカバー部材は、アルミニウム鋼板を材料として構成されていることを特徴とする請求項１ないし７のいずれか１項に記載の記憶装置。
【請求項９】
前記記憶媒体としてプラッタを内蔵する磁気ディスクドライブ装置であることを特徴とする１ないし８のいずれか１項に記載の記憶装置。
【発明の詳細な説明】
【技術分野】
【０００１】
本発明は、情報を記憶可能な記憶装置に関する。
【背景技術】
【０００２】
ヘッドアクチュエータ、ボイスコイルモータなどのさらなる薄型化や、このような内部部品の部品レイアウトなどに改良を加えることで、ＰＣ（パーソナルコンピュータ）カードスロットへの装着を可能とした薄型構造の磁気ディスク装置が知られている（例えば、特許文献１参照）。
【０００３】
上記文献の装置では、内部部品は、各々矩形状のトップカバーとボトムカバーとで上下から挟み込まれるようにして覆われている。ここで、ボトムカバーは、対向する一対の長辺から起立した一対の側壁を有し、さらに、これらの各側壁からそれぞれ他方の側壁側に折れ曲がるようにして突出する爪部を備えている。この爪部は、トップカバーをその外縁部側から挟み込むようにしてトップカバー上面の辺部に嵌め込まれている。すなわち、上記文献の装置では、ボトムカバーの取り付けに際して、ねじ止め作業などが不要となることから、組み込み作業性が改善され、さらには、ねじ止め部分の削除によって小型化が実現される。
【０００４】
また、装置の薄型化や軽量化を図るために、内部部品を覆うベース部やカバー部に肉抜きのための開口部を設ける一方で、この開口部を放射状に仕切る複数のビームを形成した磁気ディスク装置なども提案されている（例えば、特許文献２参照）。
【０００５】
つまり、この文献の装置では、開口部を設けたことによるベース部やカバー部の剛性の低下がビームを形成したことで抑制され、これにより、構造体としての必要な剛性を確保した上で装置の薄型化や軽量化を図ることができる。
【特許文献１】特開２００１−２１００５８号公報
【特許文献２】特開平９−２６５７７１号公報
【発明の開示】
【発明が解決しようとする課題】
【０００６】
しかしながら、上述した特許文献１の装置では、ねじ止め作業などが不要となったものの、トップカバー上面の辺部にボトムカバーの爪部を嵌め込む際の作業が比較的困難である。具体的には、ボトムカバーを取り付ける場合、構造的に両側の爪部を同時に嵌め込むことができないので、まず、一方の爪部をトップカバーの一方の辺部に引っ掛け、次に、他方の爪部を、トップカバーの他方の辺部から、一旦外側に離れる方向に広げ（撓ませ）ながら、この他方の辺部に当該爪部を嵌め込む必要がある。
【０００７】
より詳細には、上述した他方の爪部を嵌め込む場合、この他方の爪部の長手方向の一端部をまずトップカバーの上述した他方の辺部に引っ掛けた後、この一端部側から他端部側に向けて徐々に爪部全体を嵌め込んで行く作業となる。したがって、爪部を上記のように撓ませながら、しかも爪部を僅かずつ嵌め込んで行くといった作業は、比較的困難であり、この点において改善が求められている。
【０００８】
ここで、爪部の撓み力を低減させるためにボトムカバーの材料として比較的軟らかい材料を選択することなどが考えられるが、単に軟らかい材料を選択すると、爪部自体の剛性が低下することになる。この場合、爪部の剛性の低下に伴い、トップカバーの辺部上に爪部が引っ掛けられた状態で留まる保持力も低下してしまい、他方の爪部の長手方向の一端部側から他端部側に向けて徐々に爪部全体を嵌め込んで行く作業が困難となる。
【０００９】
また、上述した特許文献２の装置では、薄型化や軽量化を図る上では、有用な構成ではあるものの、部品の組み込み作業性の点で課題を残しているといえる。
【００１０】
そこで本発明は、上記課題を解決するためになされたもので、内部部品を外側から覆う部材の組み込み作業性を改善することのできる記憶装置の提供を目的とする。
【課題を解決するための手段】
【００１１】
上記目的を達成するために、本発明に係る記憶装置は、記憶媒体と、前記記憶媒体を一方から覆う第１のカバー部材と、前記記憶媒体を他方から覆うようにこの記憶媒体を挟んで前記第１のカバー部材と対向する位置に配置された枠状に形成されている第２のカバー部材と、前記第２のカバー部材に設けられ、前記第１のカバー部材をその外縁部側から挟み込むようにして嵌め込まれた少なくとも一対の爪部と、を具備することを特徴とする。
【００１２】
すなわち、本発明では、爪部を有する第２のカバー部材を枠状の構造体として構成することで、第２のカバー部材の弾性が増加し、これにより、第２のカバー部材全体を撓ませつつ爪部を嵌め込むことができる。したがって、本発明によれば、爪部の嵌め込み作業（第２のカバー部材の取り付け作業）の簡易化を図ることができる。
【００１３】
また、本発明では、上述したように、第２のカバー部材を枠状の構造体として構成することで、例えば、第２のカバー部材の構成材料として硬度の高い材料を適用する場合には、枠の本体部分を例えば細くし（開口部分を広く採り）、一方、硬度の比較的低い材料を適用する場合には、枠の本体部分を太くする（開口部分を狭くする）といったように、機械的強度の設定の自由度を向上させることができる。これにより、爪部の嵌め込み作業に適する弾性及び剛性を備えた第２のカバー部材を構成することができ、爪部を嵌め込む際の作業性、つまり第２のカバー部材の取り付け時の作業性を向上させることができる。
【００１４】
また、本発明では、爪部の嵌め込み作業性の改善のために、第２のカバー部材を枠状に構成したことで、結果的に、装置の軽量化を図ることができる。
【発明の効果】
【００１５】
本発明によれば、内部部品を外側から覆う部材の組み込み作業性の改善を図れる記憶装置を提供することができる。
【発明を実施するための最良の形態】
【００１６】
以下、本発明を実施するための最良の形態を図面に基づき説明する。
図１は、本発明の実施形態に係る記憶装置としての磁気ディスク装置１を上面側からみた概観図であり、図２は、この磁気ディスク装置１を底面側からみた概観図である。また、図３は、磁気ディスク装置１を上面側からみた分解斜視図であり。図４は、磁気ディスク装置１を底面側からみた分解斜視図である。なお、図１、図２では、Ｃａｕｔｉｏｎ（コーション）ラベル９の図示を省略している。
【００１７】
図１〜図４に示すように、磁気ディスク装置（磁気ディスクドライブ装置）１は、カード状に形成され、例えば、ＰＣカードタイプＩＩの規格に合わせて厚さ５．０ｍｍに構成されている。すなわち、磁気ディスク装置１は、矩形板状のベース１０を備え、このベースには、周縁部を除いて、後述する種々の部材が装着される凹部が形成され、上面側が開口している。また、磁気ディスク装置１は、ベース１０の上面を閉塞した板状の第１のカバー部材としてのトップカバー１２、ベース１０の底面側に設けられたプリント回路基板１４、プリント回路基板１４及びベースの底面側を覆った第２のカバー部材としてのボトムカバー１５を備え、これらを積層することにより、全体としてカード状に形成されている。
【００１８】
また、ベース１０の凹部内には、図１〜図４に示すように、記憶媒体としての１．８インチの磁気ディスク（プラッタ）８６、この磁気ディスク８６を支持及び回転させるスピンドルモータ８８、磁気ディスク８６に対して情報の書き込み、読み出しを行なう複数の磁気ヘッド、これらの磁気ヘッドを磁気ディスク８６に対して移動自在に支持したヘッドアクチュエータ２２、ヘッドアクチュエータを回動および位置決めするボイスコイルモータ（以下ＶＣＭと記述）２４、磁気ヘッドが磁気ディスクの最外周に移動した際、磁気ヘッドを磁気ディスクから離間した位置に保持するランプロード機構２９、ヘッドＩＣなどを有する基板ユニット２１、及びパック状のエアフィルタ２８などが収容されている。
【００１９】
つまり、トップカバー１２は、磁気ディスク８６を一方（上面側）から覆い、また、ボトムカバー１５は、磁気ディスク８６を他方（底面側）から覆うようにこの磁気ディスク８６を挟んで実質的にトップカバー１２と対向する位置に配置されている。
【００２０】
また、ベース１０は、磁性材料、例えば冷間圧延鋼鈑などの鉄系材料をプレス成形して形成され、その周縁部は、裏面側に向かって絞り成形されている。また、ベース１０の周縁部には、トップカバー１２をねじ止めするための複数のねじ孔８２が形成されている。
【００２１】
図３及び図４に示すように、ヘッドアクチュエータ２２は、ベース１０上に固定された軸受組立体と、軸受組立体から延出した２本のアームと、各アームの先端から延出した磁気ヘッド組立体３６と、軸受組立体からアームと反対方向に延出しているとともにボイスコイルを支持した支持フレーム４４とを備える。磁気ヘッド組立体３６は、細長い板状のサスペンションと、サスペンションの先端に図示しないジンバル部を介して固定された磁気ヘッドとを備えている。
【００２２】
また、ヘッドアクチュエータ２２を回動させるＶＣＭ２４は、ヘッドアクチュエータの支持フレーム４４に固定されたボイスコイルと、このボイスコイルに対向してベース１０上に設けられた上ヨークと、上ヨークの内面に固定されボイスコイルに対向した磁石と、を備えている。そして、磁性材料からなるベース１０は、ＶＣＭ２４の下ヨークを兼ねている。
【００２３】
図３及び図４に示すように、各磁気ヘッドは、フレキシブルケーブル５２を介して、基板ユニット２１に電気的に接続されている。基板ユニット２１は、フレキシブルプリント回路基板により形成され、その底面には、プリント回路基板１４と接続するためのコネクタ５３が実装されている。基板ユニット２１は、ベース１０にねじ止めされ、コネクタ５３は、ベース１０に形成された矩形状の信号線挿通口５４と対向している。
【００２４】
ベース１０には、ベース内外を連通するための通気孔が形成され、エアフィルタ２８は、この通気孔と対向して配置されている。そして、この通気孔により、ベース１０内部と外部との圧力差をなくすとともに、その際、エアフィルタ２８により、外部からの塵等の侵入を防止する。また、図１、図２に示すように、ベース１０の側端面に、製品の製造番号などを記録したバーコードラベル８３なども貼り付けられている。
【００２５】
また、ベース１０の底面側に設けられたプリント回路基板１４は、ベース１０の突出部の干渉を避けるための開口１４ａを有し、ベース１０よりも僅かに小さな寸法の矩形状に形成されている。プリント回路基板１４上には、コネクタ５６が実装され、このコネクタ５６は、ベース１０の信号線挿通口５４を通して、ベース１０内の基板ユニット２１に設けられたコネクタ５３と接続されている。また、プリント回路基板１４の長手方向の一端には、磁気ディスク装置１を外部機器に接続するためのＩ／Ｆコネクタ５７が接続されている。
【００２６】
また、上述したベース１０の上面は、ベース１０にねじ止めされたトップカバー１２によって閉塞されている。図１〜図４に示すように、トップカバー１２は、ベース１０よりも長手方向の寸法が大きな矩形状に形成されている。
【００２７】
ベース１０とトップカバー１２との間には、ベース１０内部を気密に保持するためのシール部材６０が挟持されている。シール部材６０のシール部６３には、ベース１０の信号線挿通口５４に対応した形状及び大きさを有する矩形状の開口が形成されている。このシール部６３は、基板ユニット２１をベース１０にねじ止めすることにより、ベース１０と基板ユニット２１との間に挟持されている。これにより、シール部６３は信号線挿通口５４の周囲を気密にシールし、外部からベース１０内へのゴミなどの侵入を防止している。
【００２８】
次に、本実施形態の磁気ディスク装置１が備えるボトムカバー１５の構造について、上記の図１〜図４に加え、図５〜図９に基づき詳述する。ここで、図５は、図１に示す磁気ディスク装置のＡ−Ａ断面図であり、図６は、磁気ディスク装置１にボトムカバー１５の他方の爪部１７を嵌め込む前の状態を示す断面図である。また、図７は、図１に示す磁気ディスク装置のＢ部詳細図であり、図８は、磁気ディスク装置１からボトムカバー１５が取り外された状態を示す斜視図である。さらに、図９は、磁気ディスク装置１にボトムカバーを嵌め込んでいる途中の状態を示す斜視図である。
【００２９】
図３〜図６に示すように、ボトムカバー１５は、アルミニウム鋼板を材料として矩形の枠状に形成されており、軽量化が図られている。また、ボトムカバー１５は、互いに対向する一対の長辺から起立した一対の側壁５、６を有し、さらに、これらの各側壁５、６からそれぞれ他方の側壁側に折れ曲がるようにして突出する爪部（フック部）１７、１８を備える。この爪部１７、１８は、トップカバーをその外縁部側から挟み込むようにしてトップカバー１２上面に嵌め込まれている。
【００３０】
具体的には、図３〜図９にも示すように、トップカバー１２上の外縁部には、互いに対向しつつほぼ平行に延びる一方の組の辺部７、８とこれらの辺部７、８に各々沿って設けられた一組の段差部１９、２０とが形成されている。ボトムカバー１５上の一対の爪部１７、１８は、トップカバー１２の一組の段差部１９、２０に沿って各々嵌め込まれている。
【００３１】
図１〜図４に示すように、このようなボトムカバー１５は、プリント回路基板１４、並びに穴部８９ａ及び８９ｂを有する絶縁性フィルム８９の底面側に重ねて配置された状態でトップカバー１２に取り付けられている。ボトムカバー１５の底面には、上述したＣａｕｔｉｏｎラベル９が貼り付けられている。
【００３２】
より詳細には、ボトムカバー１５は、図２に示すように、トップカバー１２の段差部１９、２０の形成された辺部７、８に沿った方向に延びる一組の第１の枠本体部１６ａ、１６ｂと、段差部１９、２０の形成された辺部７、８と交差する方向に延びる一組の第２の枠本体部１６ｃ、１６ｄとを備えた矩形状の外枠１６を備える。さらに、枠状に形成されたボトムカバー１５は、その内側に架け渡された梁部３を備える。この梁部３は、爪部１７、１８を嵌め込む際のボトムカバー１５の剛性（機械的強度）を調整するために設けられており、第２の枠本体部１６ｃ、１６ｄどうしの間に架け渡されている。
【００３３】
ここで、このような構成のボトムカバー１５を取り付ける場合、まず、図６に示すように、一方の爪部１８をトップカバーの一方の段差部２０に引っ掛け（係合させ）、次に、他方の爪部１７を、トップカバーの他方の段差部１９から、一旦外側に離れる方向に広げ（撓ませ）ながら、図５、図７に示すように、この他方の段差部１９に当該爪部１７を嵌め込む。
【００３４】
より詳細には、他方の爪部１７を嵌め込む場合、図８、図９に示すように、この他方の爪部１７の長手方向の一端部１７ａをまずトップカバー１２の他方の段差部１９の一端部１９ａに引っ掛けた後、この一端部１７ａ側から他端部１７ｂ側（段差部１９の他端部１９ｂ側）に向けて徐々に爪部１７全体を嵌め込んで行く作業となる。
【００３５】
ここで、本実施形態のボトムカバー１５では、その構成材料として、ステンレス鋼などと比べて比較的軟らかいアルミニウム鋼板を選択し、さらに、ボトムカバー１５を枠状に構成したことで、ボトムカバー１５全体を容易に撓ませつつ、爪部１７の嵌め込み作業を好適に行うことが可能となる。詳述すると、アルミニウム鋼板を構成材料として選択したことで、爪部自体の剛性（爪部が段差部に留まる保持力）が低下し、これに伴い爪部の嵌め込み作業が一層困難になることが懸念されるが、ボトムカバー１５を枠状に形成したことで、ボトムカバー１５全体を十分に撓ませた後、爪部を嵌め込むことができ、これによりボトムカバー１５の組み込み時の作業性の改善が図られる。ここで、上述した梁部３は、このようなボトムカバー１５全体の機械的強度を調整することができる。これにより、ボトムカバー１５に必要とされる一定以上の弾性を実質的に確保することが可能となる。
【００３６】
既述したように、本実施形態に係る磁気ディスク装置によれば、内部部品を外側から覆うボトムカバー１５の組み込み作業性を改善しつつ製品の軽量化を図ることができる。
【００３７】
［実施例］
次に、図１０〜図１２に基づき、本発明を実施例により説明する。ここで、図１０は、図１に示す磁気ディスク装置１が備える実施例のボトムカバー１５の平面図であり、図１１は、図１０のボトムカバーと比較される比較例１、２のボトムカバー２５、３５の平面図である。また、図１２は、図１０及び図１１にそれぞれ示すボトムカバーの比較結果を示す図である。
【００３８】
ここで、図１０、図１１中の寸法は、ａ＝７１ｍｍ、ｂ＝５１ｍｍ、ｃ、ｈ、ｊ＝４ｍｍ、ｄ＝２９ｍｍ、ｅ、ｇ＝４０ｍｍ、ｆ＝２３ｍｍで、ｓ＝３ｍｍ、ｐ＝直径２３ｍｍ、及びｒ＝直径１９ｍｍである。これにより、比較例１、２の丸穴型のボトムカバー２５、３５は、穴部２５ａ、２５ｂからなる開口部分の面積が、外形面全体の面積の２３．８％にあたる大きさであり、一方、実施例の枠型のボトムカバー１５は、矩形穴９２、９３からなる開口部分の面積が、外形面全体の面積の７１．８％にあたる大きさとなる。また、実施例及び比較例２では、厚さ０．１８ｍｍのアルミニウム鋼板としてＡ５１８２を選択し、一方、比較例１では、厚さ０．１５ｍｍのステンレス鋼としてＳＵＳ４３０を選択した。なお、金属材料の特性値は、JIS Z 2241（金属材料の引張試験）に基づく。
【００３９】
このような条件において、ボトムカバーの組み込み性を比較したところ、ＳＵＳ４３０を材料とする比較例１は、ボトムカバー２５全体の剛性が高く撓ませ難いことから、爪部の嵌め込みは、やや困難であった。また、単に軟らかい材料（Ａ５１８２）を選択しただけの丸穴型の比較例２は、トップカバーの段差部に爪部が引っ掛けられた状態で留まる保持力が低下し、爪部の嵌め込み作業がやや困難であった。これに対して、実施例では、ボトムカバー１５全体を容易に撓ませつつ爪部の嵌め込み作業を好適に行うことができた。
【００４０】
以上、本発明を実施の形態により具体的に説明したが、本発明は前記実施形態にのみ限定されるものではなく、その要旨を逸脱しない範囲で種々変更可能である。例えば、上述した実施形態では、梁部を１箇所だけ設けたボトムカバーを構成していたが、ボトムカバー全体の剛性を適切に調整するために、第２の枠本体部１６ａ、１６ｂどうしの間に複数梁部を架け渡すようにしてもよい。ここで、図１３では、二つの梁部３ａ、３ｂを第２の枠本体部１６ｃ、１６ｄの近傍に配置したボトムカバー４５を例示している。図１４では、三つの梁部３ｃ、３ｄ、３ｅを第２の枠本体部１６ｃ、１６ｄ間の中央部分に配置したボトムカバー５５を例示し、さらに、図１５では、二つの梁部３ｆ、３ｇを第２の枠本体部１６ｃ、１６ｄ間の中央部分に配置したボトムカバー６５を図示している。
【００４１】
また、これに代えて、図１６に示すように、梁部を、第１の枠本体部と第２の枠本体部との間に架け渡すように設けてもよい。この図１６に示すように、矩形状の外枠１６の角部を介して互いに隣接する四組全ての第１の枠本体部と第２の枠本体部との間に四つの梁部３ｈ、３ｊ、３ｋ、３ｍを架け渡したボトムカバー７５を本発明に適用することもできる。また、比較的高度の高い材料を選択している場合、図１７に示すように、梁部のないボトムカバー８５を用いるようにしてもよい。
【００４２】
さらに、上述した実施形態では、記憶媒体が磁気ディスク装置を本発明の記憶装置に適用していたが、本発明はこれに限らず、光ディスクや光磁気ディスクを用いるディスクドライブ装置やさらには半導体メモリなどを記憶媒体として内蔵する記憶装置などにも本発明を適用することができる。また、上述した実施形態では、一対の爪部がボトムカバーに設けられていたが、二組以上の爪部をボトムカバーに設けてもよい。
【図面の簡単な説明】
【００４３】
【図１】本発明の実施形態に係る磁気ディスク装置を上面側からみた概観図。
【図２】図１に示す磁気ディスク装置を底面側からみた概観図。
【図３】図１に示す磁気ディスク装置を上面側からみた分解斜視図。
【図４】図１に示す磁気ディスク装置を底面側からみた分解斜視図。
【図５】図１に示す磁気ディスク装置のＡ−Ａ断面図。
【図６】図１の磁気ディスク装置にボトムカバーの他方の爪部を嵌め込む前の状態を示す断面図。
【図７】図１に示す磁気ディスク装置のＢ部詳細図。
【図８】図７の磁気ディスク装置からボトムカバーが取り外された状態を示す斜視図。
【図９】図７の磁気ディスク装置にボトムカバーを嵌め込んでいる途中の状態を示す斜視図。
【図１０】図１に示す磁気ディスク装置が備える実施例のボトムカバーの平面図。
【図１１】図１０のボトムカバーと比較される比較例のボトムカバーの平面図。
【図１２】図１０及び図１１にそれぞれ示すボトムカバーの比較結果を示す図。
【図１３】図１０に示すボトムカバーと構造の異なる他の実施形態のトップカバーを示す斜視図。
【図１４】図１０及び図１３に示すボトムカバーと構造の異なる他の実施形態のトップカバーを示す平面図。
【図１５】図１０、図１３及び図１４に示すボトムカバーと構造の異なる他の実施形態のボトムカバーを示す平面図。
【図１６】図１０、及び図１３〜図１５に示すボトムカバーと構造の異なる他の実施形態のボトムカバーを示す平面図。
【図１７】図１０、及び図１３〜図１６に示すボトムカバーと構造の異なる他の実施形態のボトムカバーを示す平面図。
【符号の説明】
【００４４】
１…磁気ディスク装置、３，３ａ，３ｂ，３ｃ，３ｄ，３ｅ，３ｆ，３ｇ，３ｈ，３ｊ，３ｋ，３ｍ…梁部、５,６…側壁、１７，１８…爪部、１９，２０…段差部、１２…トップカバー、１５，４５，５５，６５，７５…ボトムカバー、１６…外枠、１６ａ，１６ｂ…第１の枠本体部、１６ｃ，１６ｄ…第２の枠本体部、８６…磁気ディスク（プラッタ）。
【図１】
2008310938.tif 000003
【図２】
2008310938.tif 000004
【図３】
2008310938.tif 000005
【図４】
2008310938.tif 000006
【図５】
2008310938.tif 000007
【図６】
2008310938.tif 000008
【図７】
2008310938.tif 000009
【図８】
2008310938.tif 000010
【図９】
2008310938.tif 000011
【図１０】
2008310938.tif 000012
【図１１】
2008310938.tif 000013
【図１２】
2008310938.tif 000014
【図１３】
2008310938.tif 000015
【図１４】
2008310938.tif 000016
【図１５】
2008310938.tif 000017
【図１６】
2008310938.tif 000018
【図１７】
2008310938.tif 000019